(57)【特許請求の範囲】
【請求項１】
複数本の高速信号線、複数本のグラウンド線、及び複数本の低速信号線を有する伝送部と、
この伝送部を収納し、かつその表面を被覆する外被と、を備えるとともに、
前記高速信号線は、高速データ信号線及びクロック線を備え、
前記伝送部は、少なくとも２本のグラウンド線と、高速データ信号線若しくはクロック線とが円形状に配列され、前記高速データ信号線若しくは前記クロック線がグラウンド線のみと隣接するように配置された第１の円形状層と、
少なくとも１本の低速信号線と、グラウンド線若しくは他の低速信号線とが円形状に配列された第２の円形状層とを備え、
前記第１の円形状層と前記第２の円形状層が外側から内側に向かって交互に３層以上配置されていることを特徴とする電子機器接続ケーブル。
【請求項２】
請求項１に記載の電子機器接続ケーブルにおいて、
前記外被は、円筒状に形成されていることを特徴とする電子機器接続ケーブル。
【請求項３】
請求項１又は請求項２に記載の電子機器接続ケーブルにおいて、
前記伝送部は、１８本の高速信号線と、２０本のグラウンド線と、２２本の低速信号線とからなることを特徴とする電子機器接続ケーブル。
【請求項４】
請求項３に記載の電子機器接続ケーブルにおいて、
前記高速信号線は、１６本の高速データ信号線と、２本のクロック線とからなることを特徴とする電子機器接続ケーブル。
【発明の詳細な説明】
【０００１】
【発明の属する技術分野】
本発明は、複数本の高速信号線と、複数本のグラウンド線と、複数本の低速信号線とを有する伝送部を備える電子機器接続ケーブルに関する。
【０００２】
【背景技術】
従来より、ビデオゲーム装置、その他のエンタテイメント装置等の電子機器が利用されている。このような電子機器には、筐体の内部に中央演算処理装置（ＣＰＵ）、その他の電子部品からなる電子機器本体が設けられ、この電子機器本体に接続されたコントローラで操作されるものがある。
【０００３】
このような電子機器では、一般的にフラッシュメモリ等を用いた記憶装置が使用されており、このような記憶装置は、カード式とされて電子機器本体に取り付けられている。
しかしながら、最近使用される電子機器では情報量が多く、より多くの容量を有するハードディスクドライブ（ＨＤＤ）等の記憶装置を設けることが求められている。
このため、カード式記憶装置では、記憶容量に限界があるため、大容量の記憶装置を、付属装置として電子機器本体に外付けすることが考えられる。
【０００４】
【発明が解決しようとする課題】
ところで、このような電子機器本体と付属装置との間を接続するケーブルとしては、一般的にＡＮＳＩ（米国規格協会）で規格化されたＡＴＡ（AT Attachment）規格やＳＣＳＩ（Small Computer System Interface）規格等の各種インターフェースが利用されており、この中でも、電子機器本体と付属装置との間を、比較的高速で、かつコストを抑えてデータ転送ができるインターフェース規格として、ＵｌｔｒａＡＴＡ／６６（ＵｌｔｒａＤＭＡ／６６）と呼ばれる規格が利用されている。
【０００５】
このＵｌｔｒａＡＴＡ／６６規格では、電子機器間の接続用コネクタは、ＡＴＡ規格に準拠した４０本のデータ信号線のピンからなり、伝送部（ケーブル部分）は、これらの各ピンに接続された４０本のデータ信号線と、信号品質改善のために各信号線に対応して設けられる４０本のグラウンド線とで構成され、これらの４０本のグラウンド線と４０本のデータ信号線とが交互に一列に並べて配置された合計８０本の信号線からなっている。
【０００６】
しかしながら、このようにＵｌｔｒａＡＴＡ／６６規格の伝送部は、各信号線が横一列に並んだ平型タイプであるため、伝送部としての外観や、接続時に伝送部自体が曲げにくく取扱いにくいという問題があった。
このような問題は、ＵｌｔｒａＡＴＡ／６６規格以外のその他規格の平型タイプのケーブルにおいても同様であった。
【０００７】
一方で、データ信号線とグラウンド線とを一対のよりつい線としたものを、複数本束ねて、円筒状に構成した伝送部も知られているが、データ信号線同士が隣接する部分が発生してしまい、データ信号線同士のクロストークによるノイズ発生のおそれがあり、高速データ信号線としては使用できないという問題があった。また、伝送部をよりつい線で構成しているので、伝送部自体が硬くなって、曲げにくく、取扱いにくいという問題もあった。
【０００８】
本発明は、電子機器間をノイズの発生を抑えて確実にデータ転送ができ、かつ取扱いやすい電子機器接続ケーブルを提供することにある。
【０００９】
【課題を解決するための手段】
本発明の電子機器接続ケーブルは、複数本の高速信号線、複数本のグラウンド線、及び複数本の低速信号線を有する伝送部と、この伝送部を収納し、かつその表面を被覆する外被と、を備えるとともに、前記高速信号線は、高速データ信号線及びクロック線を備え、前記伝送部は、少なくとも２本のグラウンド線と、高速データ信号線若しくはクロック線とが円形状に配列され、前記高速データ信号線若しくは前記クロック線がグラウンド線のみと隣接するように配置された第１の円形状層と、少なくとも１本の低速信号線と、グラウンド線若しくは他の低速信号線とが円形状に配列された第２の円形状層とを備え、前記第１の円形状層と前記第２の円形状層が外側から内側に向かって交互に３層以上配置されていることを特徴とする。
【００１０】
ここで、高速信号線とは、例えば、データの読み出し用や書き出し用に使用されるクロック周波数に同期して、高速でデータを転送するデータ信号線等を示すものである。
また、信号同士が干渉するとは、信号線を通る信号に他の信号線の信号が影響し、正しい信号を送信できない状態をいう。また、低速信号線とは、例えば、電子機器間のアクセス確認用のランプを点灯させるためのデータ等の、比較的低速でデータ転送されるデータ信号線のことである。
【００１１】
このような構成によれば、高速信号線およびグラウンド線を、高速信号線を通る信号同士が干渉しないように配置したので、高速信号線でのクロストークによるノイズの発生を抑えて確実に、電子機器間のデータ転送ができる。
【００１２】
また、外被を筒状としたので、平型タイプのケーブルのように平たい面に沿う方向には曲がらないということもなく、自由な方向に曲げて簡単に接続でき、取扱いやすくできる。なお、筒状とは、その断面が円や楕円、多角形等を示すものである。
さらに、伝送部を一対のよりつい線で構成する必要がないから、伝送部が硬くならないので、曲げやすく、かつ取扱いやすい伝送部とすることができる。
また、高速信号線とグラウンド線とを交互に配置したので、高速信号線同士が隣接することがないから、高速信号線でのクロストークによるノイズの発生を抑えて確実に、電子機器間のデータ転送ができる。
【００１６】
そのうえ、高速信号線を最外周に配置したので、最外周の第１層では他の信号線との隣接が最も少なくなることから、内側に配置する場合に比べて、より一層確実にクロストークによるノイズ発生を抑えることができる。
また、外被を円筒状としたので、伝送部に面がないから、より一層簡単に自由な方向に曲げることができ、取扱い性を向上できる。
【００１７】
前記伝送部は、最外周の第１層と、この第１層に径方向内側で隣接する層としての第２層と、この第２層に径方向内側で隣接する層としての第３層とを備え、前記第１層は、前記第１の円形状層であり、前記第２層は、前記第２の円形状層であり、前記第３層は、前記第１の円形状層であるのが好ましい。
このような構成によれば、第３層と第１層との間に第２層があるので、第３層と第１層とが隣接することがないうえ、また、第３層においても高速信号線とグラウンド線とを交互に配置したので、高速信号線同士が隣接することがないから、高速信号線でのクロストークによるノイズ発生を確実に抑えることができる。
また、第３層に高速信号線を配置したので、第１層を構成する信号線の数を減少でき、伝送部を細くできる。このため、伝送部をより一層曲げやすく、かつ取扱いやすくできる。
【００１９】
さらに、前記伝送部は、１８本の高速信号線と、２０本のグラウンド線と、２２本の低速信号線とからなることが好ましい。
ここで、グラウンド線は、高速信号線でのクロストークによるノイズが発生しないようにするためのものであるから、低速信号線においては、クロストークによるノイズの影響が少ないので、特に隣接してグラウンド線が配置されなくてもい。
このため、このような構成によれば、グラウンド線を２０本設けたので、少なくとも１８本の高速信号線に対して隣接して配置できる。従って、高速信号線同士が隣接することを防止しつつ、伝送部を構成する信号線の本数を減少でき、伝送部を細くできる。
【００２０】
また、前記高速信号線は、１６本の高速データ信号線と、２本のクロック線とからなることが好ましい。
このような構成によれば、１６本の高速データ信号線があるので、１６ビットのデータをパラレルに転送できる。
【００２１】
【発明の実施の形態】
以下に本発明の実施の形態を図１および図２を参照して説明する。
＜１＞電子機器の全体構成
図１は、本発明に係る電子機器接続ケーブル２００を用いて、電子機器本体としてのエンタテイメント装置１と付属装置としてのハードディスクドライブ（ＨＤＤ）１００とを電気的に接続した電子機器を示す概略斜視図である。
エンタテイメント装置１は、例えば、光ディスク等に記録されているゲームプログラムを読み出して、使用者（ゲームプレーヤ）からの指示に応じて実行するものである。なお、ゲームの実行とは、主としてゲームの進行、および表示や音声を制御することをいう。
【００２２】
＜２＞エンタテイメント装置（電子機器本体）の構成
エンタテイメント装置１は、装置本体２と、この装置本体２を収容する筐体３とを備えて構成されている。
装置本体２は、ディスク装置１１、電源ユニット（図示せず）、マザーボード（図示せず）および入出力信号制御板（図示せず）を備え、マザーボードは、中央演算処理装置（ＣＰＵ：Central Processing Unit）およびその周辺装置等からなる制御系と、描画を行う画像処理装置等からなるグラフィックシステムと、音楽、効果音等を発生する音声処理装置等からなるサウンドシステムとを備えている。
【００２３】
筐体３は、装置本体２が設けられるセンターシャーシ４と、このセンターシャーシ４を挟持するとともに、装置本体２を収容するアッパーケース５およびロアーケース６とを備え、平面四角形状、かつ、正面略Ｌ字形状に形成されている。図１において、アッパーケース５の前面右側（正面から見て右側）には前記ディスク装置１１が設けられ、このディスク装置１１は、ビデオゲームのアプリケーションプログラムが記録された記録媒体であるＣＤ−ＲＯＭやＤＶＤ−ＲＯＭ等の光ディスクの動作制御を行うものである。
このディスク装置１１のディスクトレー１１Ｂが露出している。ディスクトレー１１Ｂの右側（正面から見て右側）には、操作手段である電源スイッチ１６と、ディスクトレー１１Ｂをアッパーケース５から出し入れする操作を行うためのトレー操作スイッチ１７とが並んで配置されている。
【００２４】
アッパーケース５の前面左側（正面から見て左側）には、２つのスロット部１８が露出している。各スロット部１８は、上段に配置されたメモリーカード挿入部６１と、下段に配置されたコントローラ接続部６２とを備えている。
メモリーカード挿入部６１は、メモリーカード等の外部補助記憶装置が挿着されるものであり、その挿入孔６１Ａは、横方向に長い長方形状に形成されている。このメモリーカード挿入部６１には、その内部に設けられている接続端子を保護するためのシャッタ６１Ｂが設けられている。
【００２５】
コントローラ接続部６２は、信号の入出力を行うための入出力端子であり、操作装置であるコントローラ４０１（後述）から延びるコントローラケーブル４０２（後述）の先端に形成されている接続端子が接続される。その挿入孔６２Ａは、横方向に長い略長方形状に形成されているとともに、下側の角部分が上側の角部分に比べて丸みを帯びた形状となっている。
このように挿入孔６２Ａを形成することで、コントローラ４０１の接続端子が誤った向きに接続されないようになっている。また、挿入孔６２Ａの形状を、メモリーカード挿入部６１の挿入孔６１Ａの形状と異なる構造にしたので、外部補助記憶装置を挿入孔６２Ａに誤挿入するおそれがない。
【００２６】
このコントローラ接続部６２を２つ備えることによって、２つのコントローラ４０１を接続することが可能となり、２人の使用者が対戦ゲーム等を行うことが可能となっている。
また、各コントローラ接続部６２に接続されるコントローラ４０１で操作した結果は、それぞれの上部に配置されるメモリーカード挿入部６１に挿着される外部補助記憶装置に記録されるようになっている。
【００２７】
アッパーケース５の後面左側（正面から見て右側）には、ＰＣカードスロット部７０が露出している。
ＰＣカードスロット部７０は、装置本体２のマザーボードと電気的に接続されており、ＰＣＭＣＩＡ（Personal Computer Memory Card International Association）およびＪＥＩＤＡ（日本電子工業振興協会）で規格化されたカード型の周辺機器であるＰＣカードが挿入されて使用される。このＰＣカードは、ＰＣカードスロット部７０に挿入されて装置本体２と電気的に接続される。
なお、ＰＣカードとしては、所定のものが利用でき、例えば、ＡＴＡ規格の信号を認識可能なものや、各コンピュータ間の接続を可能とするＬＡＮの信号を認識可能なもの等が利用できる。
【００２８】
ロアーケース６は、その前面および右側面（正面から見て右側の側面）が、これに対応する上方のアッパーケース５の前面および右側面よりも内側に奥まっている。言い換えると、ロアーケース６の幅寸法および奥行き寸法は、アッパーケース５の幅寸法および奥行き寸法よりも小さくなっていて、ロアーケース６の容積は、アッパーケース５の容積よりも小さくなっている。一方、ロアーケース６の左側面（正面から見て左側の側面）は、これに対応するアッパーケース５の面に揃っている。これらにより、筐体３は、センターシャーシ４を中心として非対称に構成されている。
【００２９】
ロアーケース６の前面左側（正面から見て左側）には、データ転送端子１９および外部機器を接続するための２つの外部機器接続端子２０が露出している。
データ転送端子１９は、ＩＥＥＥ１３９４規格に準拠したものであり、この端子に接続されたケーブルをデジタルカメラやビデオデッキ等に接続することで、デジタルカメラやビデオデッキで記録した映像や音声等をエンタテイメント装置１に取り込むことが可能となっている。
【００３０】
２つの外部機器接続端子２０は、ＵＳＢ（Universal Serial Bus）規格に準拠したものであり、キーボード等の入力装置や、マウス等のポインティングデバイス、プリンタ等の印刷装置、光磁気ディスク等の磁気メディアを用いた外部記憶装置等が接続可能となっている。
また、ロアーケース６の前面には、その長手方向に沿って、外部から取り入れた空気をエンタテイメント装置１内部へ冷却空気として導入するためのスリット状の開口６Ａが形成されている。
【００３１】
図１に示される通り、エンタテイメント装置１は、ロアーケース６の最も大きな面積を有する下面が被設置面（図示せず）と対向する底面とされる。この場合、被設置面からの振動がエンタテイメント装置１の内部に伝達されないようにするため、ロアーケース６の下面の所定箇所にはゴム製の防振部材６Ｂが取り付けられている。
【００３２】
＜３＞付属装置の構成
付属装置であるハードディスクドライブ１００は、図１に示すように、エンタテイメント装置１のアッパーケース５の上面に配置される。
ハードディスクドライブ１００は、略箱状のケーシング１０１と、このケーシング１０１の内部に収納されるハードディスクドライブ本体１０２とを備えて構成される。
ハードディスクドライブ本体１０２は、その内部にはハードディスクドライブの動作や接続された付属装置へのアクセス等を制御する基盤（図示しない）を有し、この基盤には、ＡＴＡ規格に準拠して４０本のピンを有する雄型コネクタ１１１が設けられている。
【００３３】
ケーシング１０１は、互いに対向した平面矩形状の第１外面部１０１Ａおよび第２外面部１０１Ｂと、これらの第１外面部１０１Ａと第２外面部１０１Ｂとの端縁間を連結する第３外面部１０１Ｃ、第４外面部１０１Ｄ、第５外面部１０１Ｅおよび第６外面部１０１Ｆとを備えて構成されており、これらの外面部１０１Ａから１０１Ｆは、それぞれ外面を構成するものであって、取付ねじ（図示せず）で互いに固定されている。
【００３４】
図１に示すように、ハードディスクドライブ１００がエンタテイメント装置１の上に設置された状態では、ハードディスクドライブ１００の第１外面部１０１Ａは、エンタテイメント装置１のアッパーケース５の平面と平行である。第１外面部１０１Ａは、その奥行き寸法Ｌ１がアッパーケース５の奥行き寸法Ｍ１と同じであり、正面幅寸法Ｌ２がアッパーケース５の長さ寸法Ｍ２より短くされている。また、第１外面部１０１Ａでは、奥行き寸法Ｌ１は幅寸法Ｌ２より長くされている。
【００３５】
第１外面部１０１Ａと対向配置された第２外面部１０１Ｂは、ハードディスクドライブ１００の設置に際して被接地面（図１ではアッパーケース５の平面）と対向する底面とされる。
第２外面部１０１Ｂは、第１外面部１０１Ａと同様に、奥行き寸法Ｌ１と幅寸法Ｌ２とを有する平面形状であって、浅い角皿状に形成されている。
第２外面部１０１Ｂの底面四隅には防振用突起（図示せず）がそれぞれ設けられている。この防振用突起は、ゴム等の防振性能を有する部材を薄肉平板状に形成したものであり、第２外面部１０１Ｂに形成された凹部（図示せず）に嵌合されている。
【００３６】
第３外面部１０１Ｃから第６外面部１０１Ｆは第２外面部１０１Ｂおよび第１平面部１０１Ａとそれぞれ直交配置されている。
第３外面部１０１Ｃは、ケーシング１０１の正面を構成するものであり、その幅寸法がＬ３であり、その長さ寸法がＬ２である。長さ寸法Ｌ２は幅寸法Ｌ３より長い。
【００３７】
第３外面部１０１Ｃにはハードディスクドライブ１００にエンタテイメント装置１の中央演算処理装置からの信号のアクセスを表示するアクセス表示部１０４と、電源のオン・オフを表示する電源表示部１０５とが並んで設けられている。アクセス表示部１０４は、その記号を示す記号部１０４Ａが表面部１０に形成され、点灯部１０４Ｂが溝１０Ａに形成されている。この点灯部１０４Ｂは、溝１０Ａの底部に埋設された透明アクリル部材１０４Ｂ１と、ケーシング１０１の内部に配置され透明アクリル部材１０４Ｂ１に光を照射する発光ダイオード等からなる点灯部材とから構成される。
電源表示部１０５は、その記号を示す記号部１０５Ａが表面部１０に形成され、点灯部１０５Ｂが溝１０Ａに形成されている。この点灯部１０５Ｂは、点灯部１０４Ｂと同様に、透明アクリル部材および点灯部材とから構成される。
【００３８】
第４外面部１０１Ｄは、第３外面部１０１Ｃと直交しており、その幅寸法がＬ３であって、その長さ寸法がＬ１である。長さ寸法Ｌ１は幅寸法Ｌ３より長い。第５外面部１０１Ｅは、第４外面部１０１Ｄと直交するとともに第３外面部１０１Ｃと平行とされており、その幅寸法がＬ３であって、その長さ寸法がＬ２である平板状に形成されている。
【００３９】
第５外面部１０１Ｅには、図示しない電源スイッチと、図示しないＡＣアダプタを介して直流電力が供給される電力供給用端子とが設けられ、前述の雄型コネクタ１１１が露出している。
第６外面部１０１Ｆは、第４外面部１０１Ｄに平行とされるとともに、第４外面部１０１Ｄを除く各外面部１０１Ａ，１０１Ｂ，１０１Ｃ，１０１Ｅとそれぞれ直交配置されており、その幅寸法がＬ３であって、その長さ寸法がＬ１である。
【００４０】
＜４＞電子機器接続ケーブルの構成
本発明に係る電子機器接続ケーブル２００は、円筒状のケーブル本体２１０と、このケーブル本体２１０の一端に設けられた第１雌型コネクタ２２０と、ケーブル本体２１０の他端に設けられた第２雌型コネクタ２３０とを備えて構成される。
そして、ケーブル本体２１０の第１雌型コネクタ２２０近傍および第２雌型コネクタ２３０近傍には、一般的にノイズフィルターとして利用されるフェライトコア２５０，２６０がそれぞれ配置され、第２雌型コネクタ２３０には、ＰＣカード２４０が接続されている。
【００４１】
第１雌型コネクタ２２０は、ハードディスクドライブ１００の雄型コネクタ１１１に接続可能に形成されており、ＵｌｔｒａＡＴＡ／６６の規格に準拠する４０本のピンを備えて構成される。
第２雌型コネクタ２３０は、ＰＣカード２４０に接続可能であって、断面略Ｌ字形状であり、ケーブル本体２１０の軸方向と、接続されたＰＣカード２４０を挿入する方向とが直角となるようにされている。このため、エンタテイメント装置１とハードディスクドライブ１００との接続の際に、ケーブル本体２１０が各電子機器１の後ろ側に、たるんで邪魔となることがないから、接続が簡単である。
ＰＣカード２４０は、ＵｌｔｒａＡＴＡ／６６規格の信号を認識可能に構成されており、ＰＣカードスロット部７０に挿入されて使用される。
【００４２】
一方、図２は、ケーブル本体２１０を示す断面図である。
ケーブル本体２１０は、図２に示すように、断面円形であり、伝送部２１１と、この伝送部２１１を収納し、その表面を被覆する円筒状の外被としてのシース２１２とを備えて構成される。
【００４３】
伝送部２１１は、その中心にあって芯となる繊維製の介在３１１と、この介在３１１の外側に均等に配置され、かつ太さが略等しい６０本の信号線からなる信号線束３００と、これらの信号線束３００の外側に配置されるテープ３１２と、このテープ３１２の外側に配置される金属製の編組シールド３１３と、テープ３１２と編組シールド３１３との間に配置されるグラウンド用の導線であるドレンワイヤ３１４とを備える。
なお、シース２１２は、樹脂製であり、編組シールド３１３の表面を被覆している。
【００４４】
信号線束３００は、１６本の高速データ信号線３０２（図中では、○印内に「Ｈ」の文字が記されたもの）および２本のクロック線３０３（図中では、○印内に「Ｃ」の文字が記されたもの）からなる高速信号線３０１と、２２本の低速信号線３０４（図中では、○印内に「Ｌ」の文字が記されたもの）と、２０本のグラウンド線３０５（図中では、○印内に「Ｇ」の文字が記されたもの）とからなる。
これらの信号線３０２〜３０５は、その中心に配置される導線と、その導線を外側から被覆する絶縁体製の外被とから構成される。
【００４５】
テープ３１２は、紙製のテープであり、信号線束３００を外側から螺旋状に巻いて、これらの信号線束３００の各信号線３０２〜３０５を一つにまとめるものである。このため、このテープ３１２をしっかりと巻くことによって、各信号線３０２〜３０５の位置がずれないようになっている。
編組シールド３１３は、細い電線を網目状に編んだものであり、内側の信号線束３００を包んで、ノイズの発生を防止する遮蔽として使用される。
【００４６】
なお、ケーブル本体２１０は、ＡＴＡ規格に準拠した８０本の信号線からなる伝送部から２０本のグラウンド線を取り除いて、２０本のグラウンド線３０５および４０本のデータ信号線３０２〜３０４からなる６０本の信号線３０２〜３０５で構成されており、ケーブル本体２１０の両端部側である雌型コネクタ２２０，２３０においては、ＡＴＡ規格の４０本のピンに対応して各信号線が配線されるように構成されている。つまり、端部の雌型コネクタ２２０，２３０においては、４０本のデータ信号線３０２〜３０４でピンが構成されることになる。
【００４７】
１６本の高速データ信号線３０２は、１６ビットデータのうちの各ビットデータ転送に使用される信号線であって、後述するクロック周波数に同期して１６ビットデータをパラレルに転送できる。このため、シリアル転送に比べて比較的高速でデータ転送できる。
２本のクロック線３０３は、エンタテイメント装置１のマザーボード上のクロック・ジェネレータという回路によって発生するクロック信号の周波数を転送する信号線であり、２２本の低速信号線３０４は、エンタテイメント装置１とハードディスクドライブ１００とのアクセスの有無を確認するためのアクセス表示部１０４点灯用のデータ等の比較的低速で転送されるデータを転送するための信号線である。
【００４８】
このような各信号線３０２〜３０５の配置について以下に説明する。
図２に示すように、信号線束３００は、全体として円形となるように各信号線３０２〜３０５が配置される。その際、各信号線３０２〜３０５の位置が、断面において略対称となるように配置される。
信号線束３００は、２４本の信号線で外周を構成する第１層３６１と、この第１層３６１の径方向内側で隣接し、かつ１８本の信号線からなる第２層３６２と、この第２層３６２に径方向内側で隣接し、かつ１２本の信号線からなる第３層３６３と、この第３層３６３に径方向内側で隣接し、かつ６本の信号線からなる第４層３６４とを含んで構成される。
【００４９】
第１層３６１は、２４本の信号線からなり、１２本の高速データ信号線３０２と１２本のグラウンド線３０５とが交互に配置されて構成される。
具体的には、第１層３６１には、図中の一番上側の位置に高速データ信号線３０２が配置され、その高速データ信号線３０２から右側に向かって順番に、グラウンド線３０５、高速データ信号線３０２、グラウンド線３０５、高速データ信号線３０２・・・（以下繰り返し）というように高速データ信号線３０２とグラウンド線３０５とが交互に配置される。
【００５０】
第２層３６２は、１８本の信号線からなり、１６本の低速信号線３０４と、２本のグラウンド線３０５とが配置されて構成される。
具体的には、図中の一番上側にある高速データ信号線３０２の内側（図中下側）で隣接する位置には低速信号線３０４が配置され、その低速信号線３０４から右側に向かって順番に４本の低速信号線３０４、グラウンド線３０５、４本の低速信号線３０４、グラウンド線３０５、７本の低速信号線３０４のように並んで配置される。
【００５１】
第３層３６３は、１２本の信号線からなり、４本の高速データ信号線３０２および２本のクロック線３０３を有する高速信号線３０１と、６本のグラウンド線３０５とが交互に配置されて構成される。
具体的には、第３層３６３には、図中の一番上側にある高速データ信号線３０２の内側で隣接する低速信号線３０４の内側（図中下側）で隣接する位置に高速データ信号線３０２が配置され、その高速データ信号線３０２から右側に向かって順番に、グラウンド線３０５、高速データ信号線３０２、グラウンド線３０５、クロック線３０３、グラウンド線３０５、高速データ信号線３０２、グラウンド線３０５、高速データ信号線３０２、グラウンド線３０５、クロック線３０３、グラウンド線３０５のように並んで配置される。
第４層３６４は、６本の低速信号線３０４からなる。
【００５２】
このような本実施形態によれば、次のような効果が得られる。
(1) 高速データ信号線３０２とグラウンド線３０５とを交互に配置して第１層３６１を構成し、高速信号線３０１とグラウンド線３０５とを交互に配置して第３層３６３を構成したので、第１層３６１と第３層３６３とが隣接しないことを考慮すれば、高速信号線３０１同士が隣接しないから、クロストークによるノイズの発生を抑えることができ、エンタテイメント装置１とハードディスクドライブ１００との間のデータ転送を確実にできる。このため、ＵｌｔｒａＡＴＡ／６６の規格に準拠するデータ転送速度を保証できる。
【００５３】
(2) 第１層３６１の高速データ信号線３０２は、他の信号線との隣接が最も少なくなることから、第２層３６２等の内側の層に配置する場合に比べて、より一層確実にクロストークによるノイズ発生を抑えることができる。従って、高速データ信号線３０２を第１層３６１に優先的に配置することで、ケーブル全体としても転送する信号の品質を改善でき、高速で確実にデータ転送できる。
【００５４】
(3) 第１層３６１として１２本の高速データ信号線３０２を配置したので、第１層３６１を構成する信号線の数がケーブル本体２１０の径の大きさに依存することを考慮すれば、第１層３６１に１６本全ての高速データ信号線３０２を配置する場合に比べて、クロストークによるノイズ発生を抑制しつつ、ケーブル本体２１０を細くでき、取扱いやすくできる。
【００５５】
(4) ケーブル本体２１０を円筒状としたので、ＵｌｔｒａＡＴＡ／６６の規格の平型タイプの伝送部のように所定の方向にしか曲がらないようなことがないから、自由な方向に曲げて簡単にエンタテイメント装置１とハードディスクドライブ１００とを接続でき、取扱いやすくできる。
【００５６】
(5) ケーブル本体２１０を６０本の信号線３０２〜３０５で構成したので、８０本の信号線を採用するＵｌｔｒａＡＴＡ／６６規格の伝送部に比べて、同程度のノイズ抑制効果を確保しつつ、信号線の数を２０本減らしてケーブル本体２１０を細くでき、携帯性および使用感を向上できる。
【００５７】
(6) 雌型コネクタ２２０，２３０をＵｌｔｒａＡＴＡ／６６規格に対応させてケーブル２００を構成したので、ＵｌｔｒａＡＴＡ／６６の規格のデータ転送速度である６６．７ＭＢｐｓでデータ転送ができ、従来一般的なデータ転送速度である３３．３ＭＢｐｓに比べて、比較的高速でデータの転送ができる。
【００５８】
(7) 第２雌型コネクタ２３０を断面略Ｌ字状に形成し、ケーブル本体２１０の軸方向と、接続されたＰＣカード２４０を挿入する方向とが直角となるように構成したので、エンタテイメント装置１とハードディスクドライブ１００との接続の際に、ケーブル本体２１０がエンタテイメント装置１の後ろ側に、たるんで邪魔となることがないから、簡単に接続できる。
【００５９】
なお、本発明は、前記実施の形態に限定されるものではなく、本発明の目的を達成できる範囲での変形、改良等は本発明に含まれるものである。
例えば、フェライトコア２５０，２６０を２つ設けたが、その数は任意に特定すればよく、十分なノイズ対策ができればなくてもよい。
また、前記実施形態では、ドレンワイヤ３１４を設けたが、その他のグラウンド線３０５等で同様の役割を達成できれば、特になくてもよい。
さらに、前記実施形態では、介在３１１を繊維製とし、テープ３１２を紙製としたが、これに限らず、その他の材質で形成してもよい。
【００６０】
前記実施形態では、第１層３６１として、１２本の高速データ信号線３０２と１２本のグラウンド線３０５とを交互に配置したが、例えば、１８本の高速信号線３０１と１８本のグラウンド線３０５とを交互に配置してもよく、第１層３６１の信号線の本数は、特に限定されるものではなく、高速信号線３０１とグラウンド線３０５とが交互に配置されれば、ケーブル本体２１０の太さとノイズの発生具合とを考慮して任意に定めればよい。
【００６１】
前記実施形態では、第３層３６２にクロック線３０３を配置したが、これに限らず、第１層３６１にクロック線３０３を配置してもよい。ただし、前記実施形態のほうが、実際に高速でデータが転送される高速データ信号線３０２でのノイズ発生を軽減できる利点がある。
【００６２】
前記実施形態では、２本のグラウンド線３０５は、第２層３６２として所定位置に配置されたが、これに限らず、第２層３６２におけるその他の任意の位置に配置されてもよく、さらには、第４層３６４に配置されてもよい。
【００６３】
なお、第１層３６１および第３層３６３において、高速信号線３０１とグラウンド線３０５とが配置される位置は、前記実施形態の位置に限定されず、それぞれの信号線３０１，３０５が交互に配置されれば、その他の信号線３０３，３０４の位置関係は任意でよい。
【００６４】
前記実施形態では、各信号線３０２〜３０５が略対称となるように配置して、信号線束３００の断面を円形に構成したが、これに限らず、使用しやすい範囲内で、断面楕円形等としてもよい。要するに、信号線束３００が筒状となるようにすればよい。ただし、前記実施形態のほうが、ケーブル本体２１０を細くでき、使用しやすくできる利点がある。
【００６５】
前記実施形態では、グラウンド線３０５の全数を２０本としたが、ケーブル本体２１０が太くなって使用しにくくならない範囲内において、その本数を増加させてもよい。
【００６６】
前記実施形態では、高速データ信号線３０２を１６本としたが、これに限らず、例えば、高速データ信号線３０２の数を３２本等の任意の数に変更してもよい。つまり、インタフェース規格のバージョンアップに応じて、その本数を適宜変更すればよい。なお、その際、低速信号線３０４およびグラウンド線３０５も適宜変更すればよい。
【００６７】
前記実施形態では、雄型コネクタ１１１に電子機器接続ケーブル２００の雌型コネクタ２２０を取り付けて使用するハードディスクドライブ１００を採用していたが、これに限らず、予め電子機器接続ケーブル２００が接続されたハードディスクドライブ１００としてもよい。
【００６８】
前記実施形態では、電子機器接続ケーブル２００を、電子機器の外部において電子機器間を接続するケーブルとしたが、一つの電子機器の内部において、内部にある電子機器間を接続するように使用してもよい。
ただし、電子機器の外部においては、配置スペース等の各種環境要因によって、各電子機器の設置位置の自由度が求められることを考慮すれば、前記実施形態では電子機器接続ケーブル２００を円筒状として取扱いやすくできたので、特に、電子機器の外部での接続用として適している。
【００６９】
前記実施形態では、電子機器接続ケーブル２００をハードディスクドライブ１００の接続として使用したが、これに限らず、ＣＤ−ＲＯＭドライブやＤＶＤ（Digital Versatile Disk）ドライブ、ＣＤ−ＲＷ（CD Rewritable）ドライブ、デジタルチューナー等の各種デジタルデータを認識可能な電子機器の接続に使用できる。
【００７０】
前記実施形態では、第１層３６１に高速データ信号線３０２とグラウンド線３０５とを交互に配置したが、これに限らず、例えば、高速データ信号線３０２同士の間に、低速信号線３０４やひも状等のスペーサ等を設けた構成としてもよいし、グラウンド線３０５を複数個続けて並べた構成としてもよい。要するに高速データ信号線３０２を通る信号同士が干渉しないように構成されればよい。
【００７１】
前記実施形態では、シース２１２を円筒状に形成したが、これに限らず、例えば、断面多角形の筒状としてもよい。要するに各信号線３０２，３０４、グラウンド線３０５を束ねて被覆できるものであればよい。
【００７２】
前記実施形態では、第２雌型コネクタ２３０を断面略Ｌ字形状としたが、これに限らず、例えば、ストレートな形状としてもよく、適宜設計すればよい。
【００７３】
【発明の効果】
本発明によれば、高速信号線を通る信号同士が干渉することがないので、クロストークによるノイズの発生を抑えて確実に、電子機器間のデータ転送ができる。また、外被を筒状としたので、平型タイプのケーブルのように平たい面に沿う方向にしか曲がらないようなこともなく、自由な方向に曲げて簡単に接続でき、取扱い性を向上できる。
【図面の簡単な説明】
【図１】本発明の実施の形態に係る電子機器接続ケーブルを用いて、電子機器本体と属装置とを電気的に接続した電子機器を示す概略斜視図である。
【図２】前記実施形態の伝送部を示す断面図である。
【符号の説明】
１      エンタテイメント装置
１００      ハードディスクドライブ
１１１      雄型コネクタ
２００      電子機器接続ケーブル
２１０      ケーブル本体
２１１      伝送部
２１２      外皮としてのシース
２２０      第１雌型コネクタ
２３０      第２雌型コネクタ
２４０      ＰＣカード
２５０，２６０      フェライトコア
３００      信号線束
３０１      高速信号線
３０２      高速データ信号線
３０３      クロック線
３０４      低速信号線
３０５      グラウンド線
３１１      介在
３１２      テープ
３１３      編組シールド
３１４      ドレンワイヤ
３６１      第１層
３６２      第２層
３６３      第３層
３６４      第４層
【図１】
0003964145.tif 000002
【図２】
0003964145.tif 000003